(57)【要約】      （修正有）【課題】底ふたの開閉及びロックとロックの解除を確実に行え、さらに、半ロック状態とすることができるピストン式反転撒き餌カゴ装置を提供する。【解決手段】開口部２００を閉じた状態で鉛が充填された底ふた３０を止める金属製の蝶番５０と、止め金連結部３００を備える。止め金連結部は、底ふたに組み込まれたスライドピストン４０に固定された止め金ロックピン３０３のＬ字フック部と、カゴ本体の側面部２２に固定されて、フック部に先端部がかみ合う止め金ロックアーム２０１を備える。止め金ロックアームは底ふたの上部に取り付けたロックガイドピン３０１にも引っ掛けられる。スライドピストンが上方に動くと、止め金ロックピンとロックガイドピンから止め金ロックアームが跳ね上がり、フック部が外れロックを解除する。同時に止め金ロックアームの先端部が半ロックガイド３０２の内側に押さえつけられ、底ふたを半ロックする。【選択図】図１
0003196989.tif 000002
【実用新案登録請求の範囲】
【請求項１】
底ふたにスライドピストンを組み込んだ構造とすることで、当該底ふたのスライドピストンが上方に動くと、当該スライドピストンに固定された止め金ロックピンが上方に動き、止め金部のフックが外れ、当該カゴ本体の側面に固定された止め金ロックアームが跳ね上がり、当該底ふたのロック状態を解除としたところを特徴とするピストン式反転撒き餌カゴ装置。
【請求項２】
当該カゴ本体の側面に取り付けてある一つの止め金ロックアームの先端部の形状を二段構造にすることで、当該底ふたのロックガイドピンと当該スライドピストンの止め金ロックピンの二箇所を同時にかみ合わせ、当該底ふたの重みが止め金ロックアームに繋らない構造としたところを特徴とする請求項１記載のピストン式反転撒き餌カゴ装置。
【請求項３】
当該カゴ本体の側面に固定された止め金ロックアームの先端を外側に曲がりを設け、ロックが解除されると、当該スライドピストンの半ロックガイドの内側に押されることで、当該底ふたの半ロック状態にできるところを特徴とする請求項１記載のピストン式反転撒き餌カゴ装置。
【考案の詳細な説明】
【技術分野】
【０００１】  この考案は、底ふたに組み込まれたスライドピストンが上下に移動することにより、底ふたのロック及び解除を行い、その後に半ロック状態を維持させた後に開口を通して撒き餌およびつき餌を海中または水中に放出するピストン式反転撒き餌カゴ装置に関し、特に開口を確実に開閉させるスライドピストンの固定、解除する技術に関する。
【背景技術】
【０００２】  カゴ投げ釣りは、より遠投することと、狙いとする棚（水深）に確実に適度の撒き餌を放出させ、つき餌と同調させることで釣果が増すといえる。このために、一般的に汎用されているカゴの形状は先端部を鋭角の錘とし、錘の軸にステンレスの棒を固定させ、その軸に上下に動くカゴを上部と下部に分離させて組み込んである。これにより、飛行中の安定（カゴの重心をなるべく先端部に置くこと）と流線型を加味した形状とすることで遠投に優位である。しかし、つき餌の入れ具合ではカゴ内部のステンレス棒軸につき餌が引っかかってしまうことがある。このため最後につき餌を入れると、今度は着水後につき餌が出てしまうこととなり、撒き餌さと同調しづらくなる弱点がある。
一方、底ふたが反転するタイプのカゴは底ふたに丸みを持たせた形状とすることで、カゴ本体が海面の着水時の衝撃を底ふたが受けて、カゴ本体と底ふたに隙間を設けることでロック状態を解除させている。また、着水後は軽くした底ふたが水の抵抗を受けて、開口部を閉じさせている。そして、下降が停止すると底ふたが自然に開く。これらの理由により市販されている一般的な底ふたが反転するタイプのカゴの底ふたは重くできず（重くするとロック状態を強くする必要ある。また、着水時の勢いが増し、意図した底ふたの動きを阻害することになる）、そのために、カゴ本体に錘を取り付けるか、または、カゴ全体を金属の部材を用いて重量を確保している。これらのことから、カゴの形状が流線型でなく、また、カゴの重心が先端部から離れてしまい、遠投には不向きといえる。また、カゴ本体が投げ込まれるときの遠心力により内部のまき餌等が進行方向に押し付けられて、カゴ本体と底ふたの隙間に異物が挟まり、ロックが解除されず底ふたが反転しないことがある。更に、大半の反転するタイプのカゴは、投げ込まれる時にカゴが地面に接触してしまうと、底ふたが開いてしまう致命的な最大の欠陥がある。
これらの２種類のタイプのカゴは着水時の衝撃により、カゴの上部と下部とが瞬時に開き、撒き餌等がカゴから放出してしまうことがある。このため、カゴ内部に充填された撒き餌が確実に狙いとする棚に放出されていない。このような構造のカゴは比較的浅い棚であれば然程問題はないが、棚が深くなるとその棚に達する時点までに、極端な場合にはすべての撒き餌が放出してしまい、深場のつりには不向きといえる。
【考案の概要】
【考案が解決しようとする課題】
【０００３】  この考案は、カゴの底ふたに上下に動くスライドピストンを組み込み、スライドピストンが下の位置にあるときは底ふたがロックし、着水と同時に、スライドピストンが上の位置に移動することでロックを解除させ、更に、止め金ロックアームがスライドピストンを押さえ込むことによって底ふたの半ロック状態を維持作用させることで、海中を下降中には底ふたを反転させず、棚に着いた時点に確実に撒き餌等を放出させることができる技術を提供することを目的とする。
【課題を解決するための手段】
【０００４】  この考案の基本的な考え方は、カゴが棚に停止するまでの第１段階では、カゴの開口部が確実に閉じた状態を維持した上、カゴが棚に達した時点以降の第２段階には、カゴの開口部が確実に開くことができる状態にすることにある。【０００５】  この考案を適用するピストン式反転撒き餌カゴ装置は、カゴ（かご本体）が撒き餌およびつき餌を放出する開口をもち、その開口を底ふたが開閉可能にふさいでいる。底ふたは径方向の一端の第１端部が揺動支点側となり、その揺動支点側とは径方向反対の第２端部が止め側になっている。【０００６】  この考案のピストン式反転撒き餌カゴ装置は、底ふたの先端が鋭角の錘とすることで重心をカゴの先端とし空気抵抗を少なくさせることで、遠投を可能としている。また、底ふたに組み込まれた、スライドピストンの動きで底ふたのロックと解除および半ロック状態を作用させることで、撒き餌等をカゴ内部に確保させ、半ロック状態を解除することで、確実かつ安定した撒き餌等の放出を行なっている。【０００７】  この考案では、底ふたの上面がカゴ本体の開口部を閉じ、カゴ本体側面に反りを施して固定されている止め金ロックアームが底ふたに組み合わされたスライドピストン側面に取り付けられている止め金ロックピンと連結させることで、底ふたのロックと解除を担う構造である。また、底ふたのロック解除後には止め金ロックアームがスライドピストン側面に取り付けられている半ロックガイドに引っかかることで底ふたの半ロック状態を維持させている。これらの構造により、着水時の異なる条件下に於いても、安定した底ふたの開閉、すなわち、同ロックと解除および半ロック作動が確実なものとしている。【０００８】  カゴの大半をプラスチック製とし、屋根上部にカゴ本体内部の空気抜きの穴として数個の穴が施してある。また、カゴ本体の屋根先端部には天秤と連結させるためのステンレス製のリングが固定されている。また、底ふたの上部は厚さ５ミリの円形のプラスチック製の部位と底ふたの下部には錘としての真鍮の円錐形の部位としている。この円形のプラスチック製の部位と円錐形の部位の間に、下半分が鉛とし、残りをプラスチック製とした円柱の部位で連結固定されている。この間に３ミリほど低い上下に遊動するプラスチック製のスライドピストンが組み込んである。【０００９】  第１端部の揺動支点部は、底ふたの上部側面の内側から上方に突き出た、金属性の厚さ３ｍｍの長方形の部材に円周方向に直径１ｍｍの穴に通された左右に曲げられたステンレス鋼線が連結されている。この左右２本のステンレス鋼線がカゴ本体の側面に縦方向に開けられた穴に圧入接着することで蝶番の機能としている。また、蝶番の径方向反対側に底ふたの上部側面に直径１ｍｍのステンレス鋼線がロックガイドピンとして取り付けてある。【００１０】  反対側の第２端部の止め金部は、底ふたに組み込まれたスライドピストンの上部側面に先端をＬ字形に施した直径１ｍｍのステンレス鋼線が止め金ロックピンとして固定されている。また、同スライドピストンの止め金ロックピンを囲むようにコの字形にした直径１ｍｍのステンレス鋼線が半ロックガイドとして固定されている。【００１１２】  第２端部の止め側の相手はカゴ本��の側面の外壁に、１本の直径０，８ｍｍのステンレス鋼線が止め金ロックアームとして固定されている。このステンレス鋼線の先端部にはＵ字形とＬ字形に加工されている。Ｕ字形のところにスライドピストンの止め金ロックピンを引っ掛けさせることで、底ふた全体のロックを行い、Ｌ字形のところに底ふた上部側面のロックガイドピンがはまり合う状態にさせることで、開口部を完全に閉じさせている。【００１２】  底ふたが着水時の衝撃を受けると、底ふたに組み込まれたスライドピストンが上方に移動することで、止め金ロックピンが止め金ロックアームから外れると同時にロックガイドピンも止め金ロックアームから外れる。次の瞬間に止め金ロックアームが元の位置に戻ろうして跳ね上がり、スライドピストンのコの字形の半ロックガイドの内側に引っかかり底ふた全体の半ロック状態となる。また、スライドピストンに上面に同スライドピストンの首振りを阻止するための縦方向にピンがはめ込まれている。【００１３】  この考案のピストン式反転撒き餌カゴ装置は、底ふたのスライドピストンが下がった状態、すなわち、カゴ本体側面の止め金ロックアームの先端とスライドピストンの止め金ロックピンとロックガイドピンが引っかかったロック状態で投げ込まれるので、カゴ本体が水面に達するまでは、開口部は確実に閉じた状態を保つ。そして、カゴ本体が水面に達し、着水と同時にスライドピストンが上方に持ち上がり、止め金ロックアームと止め金ロックピン及びロックガイドピンの部分が同時に外れることで、カゴ本体の側面のステンレス鋼線の止め金ロックアームの先端部が跳ね上がることで、底ふたのロックが解除される。次の瞬間に止め金ロックアームの先端部が半ロックガイドの内側に押さえつけられて、底ふたの半ロック状態となる。また、カゴ本体を引き上げることで半ロック状態を解除させることが出来る。従って、水面に着水するときのカゴ本体に受ける衝撃力、入水角度およびカゴ本体の向きにより、カゴ本体に受ける条件が異なった状態に於いても安定した、カゴ本体と底ふたが閉じた状態からの解除が可能となり、狙いとする水深に撒き餌等を放出することができる。
【実施例】
【００１４】  図１は、遠投投げ釣りに適したピストン式反転撒き餌カゴ装置の実施例を示す断面図である。ピストン式反転撒き餌カゴ装置７０００は、大半がプラスチックであり、撒き餌を入れるための内部空間を区画するカゴ本体２０と、そのカゴ本体２０の下に位置する底ふた部材３０と底ふたに組み込まれたスライドピストン部材４０を備える。カゴ本体２０には、円筒形状の側壁２２と、その側壁の上方に円錐形状の屋根２４とがある。屋根２４には数個の穴が開けてあり、また中央に、天秤と連結するためのセンターリング部材１０が固定されている。【００１５】  カゴ本体２０の底部に開口部２００がある。その開口部２００を被うものが、先端が円錐上の底ふた部材３０である。底ふた部材３０が、開口部２００を閉じることによって、撒き餌等をカゴ本体２０の内部に閉じ込め、また、開口部２００を開放することによって、カゴ本体２０の内部の撒き餌等が開口部２００を通して海中または水中に放出する。ピストン式反転撒き餌カゴ装置７０００では、開口部２００が、撒き餌、つき餌を入れるための入口と放出するための出口とを兼ねている。また、底ふた部材３０の先端は円錐状の真鍮を用いて錘の機能とし、重心を先端部になるようにしている。【００１６】  開口部２００を開閉可能な底ふた部材３０は、開口部２００の径方向の一端の第１端部５００が揺動支点側となり、底ふた部材３０の自重で開かせることができる。その揺動支点側と径方向反対側の第２端部が止め金連結部３００となっている。【００１７】  第１端部の揺動支点側は、底ふた部材３０の上部の内側側面に固定された金属性の長方形の部材が突き出ている。この突き出た部分に外周方向に直径１ｍｍの穴に通し、左右に曲げられたステンレス鋼線が連結されてある。この左右２本のステンレス鋼線がカゴ本体の側面の厚みに逆さ八字として縦方向に開けられた穴に圧入接着してある。【００１８】  そのような第１端部の揺動支点側に対して、径方向反対側の第２端部の止め金連結部３００は、カゴ本体の側壁２２に、１本の直径０，８ｍｍのステンレス鋼線の止め金ロックアームが固定されている。この止め金ロックアームが底ふた部材３０に組み込まれたスライドピストン部材４０に引っかかる状態で止め金連結部３００としている。すなわち、止め金ロックアームの先端部のＵ字部がスライドピストンの止め金ロックピンと、Ｌ字部が底ふた上部側面のロックガイドピンに引っ掛ける状態にさせることで、開口部を完全に閉じさせた状態でロックさせている。【００１９】  着水時の衝撃を底ふたのスライドピストンが受けるとロックが解除され、同時に止め金ロックアームが元の位置に戻ろうとして先端部のＵ字部が半ロックガイドの内側に押さえつけられて、底ふたの半ロック状態となる。なお、止め金ロックアームのＵ字部の先端は外方向に曲げられているので、底ふたの重量によりずり落ちることは無い。半ロック状態を解除するには、カゴを引き上げることで半ロック状態を解除させることが出来る。【００２０】  カゴ本体が投げ込まれ、海面からの衝撃を受けると底ふたのスライドピストン４０が上方に持ち上がり、止め金ロックピンが外れ、カゴ本体の側面の止め金ロックアームが自由となりＵ字部とＬ���部が跳ね上がり、ロックが解除される。勢いよく海中に投げ込まれたカゴがその勢いが弱くなると、底ふたの自重で、蝶番軸５０１を支点として反転しようとするがその力よりも、止め金ロックアームの曲げられた先端部のＵ字部が半ロックガイドの内側に押さえつける力が強いので、底ふたが反転せず半ロックの状態となる。その後、道糸に通された浮き部材が浮き止め糸によって固定されると、浮き部材の浮力によりカゴの下降が止まる。下降が止まった状態から釣竿をシャクルことで道糸が引かれ、カゴ全体が上に引き上げられた衝撃により、止め金ロックアームが半ロックガイドからずれ外れて半ロックが解除され、底ふたが開き、開口部から撒き餌等を放出する。【００２１】  従って、カゴ本体が投げ込まれるときの遠心力により内部のまき餌等が進行方向に押し付けられても確実に開口部が閉じられている。同時に、水面に着水するときのカゴ本体の入水角度およびカゴの向き、衝撃力の強弱に関わらず、受ける条件が異なった状態に於いても安定した、カゴ本体と底ふたが閉じた状態からの解除が可能となり、狙いとする水深に撒き餌等を放出することができる遠投と深場に適したピストン式反転撒き餌カゴ装置である。【００２２】  図２Ａ〜２Ｃは、図１のピストン式反転撒き餌カゴ装置７０００の作動を順次示す断面図である。図２Ａは、撒き餌とつき餌をカゴ本体２０の内部に入れ、開口部２００を閉じた状態を示している。すなわち、側面２２に固定された止め金ロックアーム２０１の先端部のＵ字部にスライドピストン４０に固定されている止め金ロックピン３０３のＬ字部にかみ合わされ、ロックガイドピン３０１を引っ掛けることで底ふた３０が閉じられている。また、底ふた３０の重量による下降に開こうとする働く力よりも、止め金ロックアーム２０１の跳ね上がろうとする力が勝り、ロックされることになる。このようにして開口が完全に閉じた状態となる。この状態でピストン式反転撒き餌カゴ装置７０００を海に向かって投げ込まれるが、カゴの先端が地面に接触しても底ふた３０に組み込まれたスライドピストン４０が動かない限りロックが保たれ、開口部２００が完全に閉じている。【００２３】  図２Ｂは、ピストン式反転撒き餌カゴ装置７０００が海面に着水した直後の状態を示している。底ふた３０が着水時の衝撃を海面から受けると底ふた３０に組み込まれたスライドピストン４０は上方に持ち上がり、底ふた３０のフタの下部に当たり止る。同時にスライドピストン４０に固定されている止め金ロックピン３０３が持ち上がることでフック部が外れる。同時に、ロックガイドピン３０１も外れ、止め金ロックアーム２０１が跳ね上がる。更に、止め金ロックアーム２０１が跳ね上がると半ロックガイド３０２の内側に当り止め金ロックアーム２０１が止まる。すなわち、底ふた４０のロック状態が解除され半ロックの状態で海中を勢いよく下降移動する。そして、カゴがその勢いが弱まると、蝶番５０の蝶番軸５０１が揺動支点となり、底ふた３０の重みで開口部２００を開こうとするが止め金ロックアーム２０１の先端部が外方向に曲げられているために半ロックガイド３０２の内側に押さえつけられているために開くことがない。【００２４】  図２Ｃは、ピストン式��転撒き餌カゴ装置７０００が狙いとする水深に達した状態を示している。道糸に通された浮き部材が浮き止め糸によって固定されると、浮き部材の浮力により、カゴの下降が止まる。このときに釣竿をシャクルことで道糸が引かれ、カゴ全体が上に引き上げられた衝撃により、止め金ロックアーム２０１の先端部のＵ字部が半ロックガイド３０２からずれ外れて半ロックが解除され底ふた４０が開く。この考案のピストン式反転撒き餌カゴ装置７０００は、釣竿をシャクルことで開口部２００を全開にさせて撒き餌およびつき餌を放出させる。なお、狙いとする水深に達した時点からカゴをゆっくり引き上げるとロックが解除されて、半ロック状態となった状況が確認できる。このことから、撒き餌等の放出させるタイミングを意図することができることになり、棚到着後に狙いとするポイント（カゴの横移動後）に撒き餌等を放出させることが出来る。
【図面の簡単な説明】
【００２５】
【図１】この考案の実施例を示す断面図である。
【図２Ａ】ロック状態を示す断面図である。
【図２Ｂ】スライドピストンが上がり、ロック解除後の半ロック状態を示す断面図である。
【図２Ｃ】底ふたが開いた状態を示す断面図である。
【図３】図２Ａと図２ＢのＡＢ方向からの拡大図を示す表面図である。
【符号の説明】
【００２６】７０００  スライドピストン式反転撒き餌カゴ装置
１０      センターリング                    ２２      側面部
２０      カゴ本体                          ２４      屋根部
３０      底ふた                            ２００    開口部
４０      スライドピストン                  ３００    止め金連結部
５０      蝶番                              ５００    揺動支点側部
２０１    止め金ロックアーム
３０１    ロックガイドピン
３０２    半ロックガイド
３０３    止め金ロックピン
５０１    蝶番軸
【図１】
0003196989.tif 000003
【図２Ａ】
0003196989.tif 000004
【図２Ｂ】
0003196989.tif 000005
【図２Ｃ】
0003196989.tif 000006
【図３】
0003196989.tif 000007
【手続補正書】
【提出日】平成27年1月28日(2015.1.28)
【手続補正１】
【補正対象書類名】実用新案登録請求の範囲
【補正対象項目名】請求項１
【補正方法】変更
【補正の内容】
【請求項１】
内部空間を区画する筒状のカゴ本体の下部に蝶番によって連結された下部が円錐形の錘と上部が円形のプラスチック板を円柱パイプで連結固定させた底ふたに当該円柱パイプ部を上下にスライドが可能な中央部が空間の断面が台形のドーナツ状のスライドピストンを組み込むことによって当該スライドピストンの側面に固定された先端部をＬ字に曲げられたステンレス鋼線の止め金ロックピンと当該カゴ本体の側面に反りを施して固定されている先端部をＵ字に曲げられたテンレス鋼線の止め金ロックアームを当該スライドピストンが下の位置の時に当該止め金ロックピンのＬ字部と当該止め金ロックアームのＵ字部にかみ合わすことによって当該底ふたのロック状態を確保し当該スライドピストンが上方にスライドすると同時に当該止め金ロックピンも上方に動き当該止め金ロックアームにかみ合わされた箇所の当該止め金ロックピンが外れ当該止め金ロックアームが跳ね上がり当該底ふたのロック状態を解除としたところを特徴とするピストン式反転撒き餌カゴ装置。